【手続補正書】
【提出日】平成26年4月10日(2014.4.10)
【手続補正１】
【補正対象書類名】特許請求の範囲
【補正対象項目名】全文
【補正方法】変更
【補正の内容】
【特許請求の範囲】
【請求項１】
記録媒体に記録を行う記録ヘッドと、
前記記録媒体を搬送方向に搬送する搬送部と、
一の行に配置される１以上の文字を含む文字列を受信する受信部と、
前記受信部により受信した前記文字列に対応するフォントデータに基づいて前記記録媒体に記録する記録制御部と、
前記受信部で受信した前記文字列に含まれる文字を前記文字に対応する第１のフォントデータもしくは前記搬送方向のフォントサイズが前記第１のフォントデータよりも小さい第２のフォントデータに基づいて前記記録媒体に記録させる記録制御部と、
を備えることを特徴とする記録装置。
【請求項２】
前記第１のフォントデータが、前記搬送方向に対応する方向と、その逆方向に対応する方向とのいずれか一方の側に、記録しないスペースデータが含まれている場合は、前記記録制御部は、第２のフォントデータに基づいて前記記録媒体に記録させる請求項１に記載の記録装置。
【請求項３】
前記第２のフォントデータは、前記第１のフォントデータに含まれている前記スペースデータの一部を省いたものである請求項２に記載の記録装置。
【請求項４】
前記第１のフォントデータは、記録する実データの前記搬送方向のデータ数と記録しないスペースデータを含み、
前記第１のフォントデータの前記実データの前記搬送方向のデータ数と前記スペースデータの前記搬送方向のデータ数を比較し、前記実データの前記搬送方向のデータ数が前記スペースデータの前記搬送方向のデータ数よりも少ない場合、
前記記録制御部は、前記第２のフォントデータに基づいて前記記録媒体に記録させる請求項１に記載の記録装置。
【請求項５】
前記記録制御部は、
前記文字列が前記記録媒体の所定の位置に配置される場合に、前記第２のフォントデータに基づいて前記記録媒体に記録させる請求項１に記載の記録装置。
【請求項６】
前記記録媒体を切断する切断部を備え、
前記記録制御部は、
前記切断部で前記記録媒体の切断位置の搬送方向上流側、又は、搬送方向下流側の所定の範囲に前記文字列が配置される場合に、前記第２のフォントデータに基づいて前記記録媒体に記録させる請求項１に記載の記録装置。
【請求項７】
記録媒体に記録を行う記録ヘッドと、
前記記録媒体を搬送方向に搬送する搬送部と、
一の行に配置される１以上の文字を含む文字列を受信する受信部と、
前記受信部により受信した前記文字列に対応するフォントデータに基づいて前記記録媒体に記録する記録制御部と、
前記受信部で受信した前記文字列を、前記文字列に対応するフォントデータの前記搬送方向のサイズより、前記搬送方向のサイズが小さい画像データに変換して前記記録媒体に記録させる記録制御部と、
を備えることを特徴とする記録装置。
【請求項８】
前記画像データは、前記フォントデータを並べて配置した行に対し前記行に含まれる前記スペースの一部を省いたものである請求項７に記載の記録装置。
【手続補正２】
【補正対象書類名】明細書
【補正対象項目名】発明の名称
【補正方法】変更
【補正の内容】
【発明の名称】記録装置
【手続補正３】
【補正対象書類名】明細書
【補正対象項目名】０００５
【補正方法】変更
【補正の内容】
【０００５】
本発明の記録装置は、記録媒体に記録を行う記録ヘッドと、前記記録媒体を搬送方向に搬送する搬送部と、一の行に配置される１以上の文字を含む文字列を受信する受信部と、前記受信部により受信した前記文字列に対応するフォントデータに基づいて前記記録媒体に記録する記録制御部と、前記受信部で受信した前記文字列に含まれる文字を前記文字に対応する第１のフォントデータもしくは前記搬送方向のフォントサイズが前記第１のフォントデータよりも小さい第２のフォントデータに基づいて前記記録媒体に記録させる記録制御部と、備えることを特徴とする。
また、本発明の記録装置は、前記第１のフォントデータが、前記搬送方向に対応する方向と、その逆方向に対応する方向とのいずれか一方の側に、記録しないスペースデータが含まれている場合は、前記記録制御部は、第２のフォントデータに基づいて前記記録媒体に記録させる。
また、本発明の記録装置は、前記第２のフォントデータは、前記第１のフォントデータに含まれている前記スペースデータの一部を省いたものである。
また、本発明の記録装置は、前記第１のフォントデータは、記録する実データの前記搬送方向のデータ数と記録しないスペースデータを含み、前記第１のフォントデータの前記実データの前記搬送方向のデータ数と前記スペースデータの前記搬送方向のデータ数を比較し、前記実データの前記搬送方向のデータ数が前記スペースデータの前記搬送方向のデータ数よりも少ない場合、前記記録制御部は、前記第２のフォントデータに基づいて前記記録媒体に記録させる。
また、本発明の記録装置は、前記記録制御部は、前記文字列が前記記録媒体の所定の位置に配置される場合に、前記第２のフォントデータに基づいて前記記録媒体に記録させる。
また、本発明の記録装置は、前記記録媒体を切断する切断部を備え、前記記録制御部は、前記切断部で前記記録媒体の切断位置の搬送方向上流側、又は、搬送方向下流側の所定の範囲に前記文字列が配置される場合に、前記第２のフォントデータに基づいて前記記録媒体に記録させる。
また、本発明の記録装置は、記録媒体に記録を行う記録ヘッドと、前記記録媒体を搬送方向に搬送する搬送部と、一の行に配置される１以上の文字を含む文字列を受信する受信部と、前記受信部により受信した前記文字列に対応するフォントデータに基づいて前記記録媒体に記録する記録制御部と、前記受信部で受信した前記文字列を、前記文字列に対応するフォントデータの前記搬送方向のサイズより、前記搬送方向のサイズが小さい画像データに変換して前記記録媒体に記録させる記録制御部と、備えることを特徴とする。
また、本発明の記録装置は、前記画像データは、前記フォントデータを並べて配置した行に対し前記行に含まれる前記スペースの一部を省いたものである。
上記目的を達成するために、本発明は、制御装置に接続可能な記録装置であって、記録媒体に記録を行う記録ヘッドと、前記記録媒体を搬送方向に搬送する搬送部と、前記制御装置から、１以上の文字を含む文字列を受信する受信部と、前記受信部により受信した前記文字列に対応するフォントデータに基づいて前記記録媒体に記録する記録制御部と、を備え、前記記録制御部は、同一の行に配置される前記文字列が、前記搬送方向に対応する方向と、その逆方向に対応する方向との少なくともいずれか一方の側に、実際に前記記録ヘッドを駆動して記録しないスペースデータが含まれているフォントデータに対応する１又は複数の文字によって構成されている場合は、当該文字列を構成する各文字に対応するフォントデータを、前記搬送方向のフォントサイズが小さいフォントデータに変換するか、又は、当該文字列を、行単位で、当該文字列に対応するフォントデータの前記搬送方向のサイズより、前記搬送方向のサイズが小さい画像データに変換した上で、当該文字列を前記記録ヘッドにより記録することを特徴とする。
この構成によれば、搬送方向に対応する方向と、その逆方向に対応する方向との少なくともいずれか一方側にスペースが形成されたフォントデータに係る文字によって構成された文字列について、画像として記録媒体に記録する際、当該文字列を構成する各文字に対応するフォントデータを、搬送方向のフォントサイズが小さいフォントデータに変換するか、又は、当該文字列を、行単位で、当該文字列に対応するフォントデータの搬送方向のサイズより、搬送方向のサイズが小さい画像データに変換した上で、当該文字列を記録ヘッドにより記録する構成のため、記録媒体に記録される文字列の搬送方向のサイズが小さくなり、記録媒体の無駄な消費が抑制できる。
特に、制御装置は、記録装置に対して通常どおり、文字列を送信すれば、記録装置側で、自動で、上記変換を実行する構成のため、制御装置に対して、プログラム修正等の改変を行う必要がない。